(57)【要約】【課題】  浴槽に噴射される水流であるジェット噴流や水面を照らすアクアライトの光を楽曲に同期して変化させることができ、且つ、楽曲を分析する装置を付加せずに上述した動作を実現することができる噴流浴装置を提供する。【解決手段】  ジェット噴流発生装置ＪＦＧは浴槽ＢＴＢにジェット噴流ＷＳを発生させる。噴流浴装置本体ＭＵはジェット噴流発生装置ＪＦＧに制御信号を送り、ジェット噴流ＷＳを制御する。ＣＰＵ２は通信部４から携帯電話の楽曲データを含むコンテンツデータをダウンロードし、記憶部３に書き込む。楽曲再生部５は該コンテンツデータを読み込み、楽曲データに同期してバイブレータを駆動するためのVibration信号またはLED（Light  Emitting  Diode）を駆動するためのLED信号を取り出し、それぞれ、噴流制御部６またはライト制御部７に出力し、ジェット噴流ＷＳまたはアクアライトＡＬを制御する。【選択図】        図１
2005261570.tif 000002
【特許請求の範囲】
【請求項１】
浴槽内に設置されるノズルから気泡噴流を噴出させる噴出手段を備える噴流浴装置であって、
時間情報を含むイベントデータ列からなる楽曲データから該時間情報に対応して第１の制御信号を出力するシーケンサと、
前記第１の制御信号に基づいて前記噴出手段を制御する噴流制御手段と、
を備えることを特徴とする噴流浴装置。
【請求項２】
前記楽曲データが、携帯電話の着信メロディ生成用のデータであり、
前記シーケンサが、前記楽曲データ内の楽音と同期してバイブレータを駆動する設定がなされているチャンネルにおいて、前記チャンネルの楽音が出力される場合に前記第１の制御信号を出力し、
前記噴流制御手段が、前記第１の制御信号が出力されている場合にノズルから噴流を噴出させることを特徴とする請求項１に記載の噴流浴装置。
【請求項３】
前記シーケンサが、時間情報を含むイベントデータ列からなる楽曲データを該時間情報に対応して第２の制御信号を出力し、
浴室の水面を照明する照明手段と、
前記第２の制御信号に基づいて前記照明手段を制御する照明制御手段と、
をさらに有することを特徴とする請求項１または請求項２に記載の噴流浴装置。
【請求項４】
前記楽曲データが、携帯電話の着信メロディ生成用のデータであり、
前記シーケンサが、前記楽曲データ内の楽音と同期してLEDを駆動する設定がなされているチャンネルにおいて、前記チャンネルの楽音が出力される場合に前記第２の制御信号を出力し、
前記照明制御手段が、前記第２の制御信号が出力されている場合に前記照明手段を点灯させることを特徴とする請求項３に記載の噴流浴装置。
【請求項５】
前記楽曲データを携帯電話のコンテンツのサーバからダウンロードする通信手段と、
前記通信手段によってダウンロードされた前記楽曲データを記憶する記憶手段と、
をさらに備えたことを特徴とする請求項１ないし請求項４のいずれかの項に記載の噴流浴装置。
【請求項６】
浴室内に画像を表示可能な表示手段を備え、
前記通信手段が、前記携帯電話のコンテンツのサーバから表示系のコンテンツをダウンロードし、
前記記憶手段が、前記通信手段によってダウンロードされた前記表示系のコンテンツを記憶し、
前記表示手段が、前記記憶手段が記憶している前記表示系のコンテンツを表示する、
ことを特徴とする請求項５に記載の噴流浴装置。
【発明の詳細な説明】
【技術分野】
【０００１】
本発明は、主に、一般家庭などにおいて使用される噴流浴装置に係り、特に浴室に設けられた発音装置や発光装置の出力と噴流との同期化を図った噴流浴装置に関する。
【背景技術】
【０００２】
近年、バスライフに関しても、快適さ、楽しさおよび健康面への関心が高まっており、ポンプ等の噴流によって浴槽内に気泡噴流を発生させる気泡噴流装置が普及しつつある。これに加えて、浴室内で映像や音楽も視聴可能とした噴流浴装置が開発されている。例えば、図９に示すように、浴槽ＢＴＢと一般的な照明ＯＬとを有する浴室ＢＴに、浴室ＢＴ内にて使用可能な浴室テレビＢＴＶ（表示手段）およびスピーカＳＰと、アクアライトＡＬ（照明手段）と、リモコン操作部ＲＥＭと、アクチュエータＡＣＴと、ジェット噴流発生装置ＪＦＧとを設置して、隣接する脱衣所ＢＨに設けられた噴流浴装置本体ＭＵと接続する噴流浴装置が開発されている。
【０００３】
噴流浴装置本体ＭＵは、ＣＤ（Compact  Disk）等を聴くことのできるプレーヤやラジオを聴くことのできるチューナを内蔵しており、浴室ＢＴ内にて使用できるリモコン操作部ＲＥＭによって、楽曲の音量や選曲（または選局）の操作を行うことができる。また、浴室ＢＴの壁面に設置されたアクチュエータＡＣＴにも該楽曲が出力され、浴槽ＢＴＢを該楽曲の音圧に共鳴させるようにしている。また、浴槽ＢＴＢにはジェット噴流口１３が設けられ、ジェット噴流発生装置ＪＦＧ（噴出手段）から発生する、気泡を含んだジェット噴流（水流）ＷＳが噴出される。ユーザは、図８に示すように、ジェット噴流口１３の付近に座ることにより、入浴中にジェット噴流によって身体のこりを揉みほぐすと同時に血行を促進して、健康の維持・増進を図ることができる。また、アクアライトＡＬは、浴槽ＢＴＢの水面の光のゆらぎを浴室ＢＴの天井・壁面に投影し、また、水に色をつけたような効果を演出する。
【０００４】
そして、ユーザは、上述した噴流浴装置を使用する際に、浴槽ＢＴＢに入浴し、リモコン操作部ＲＥＭによってジェット噴流ＷＳをＯＮにする。次に、リモコン操作部ＲＥＭを用いてＣＤやラジオの楽曲をスピーカＳＰから聴けるようにする。また、ＣＤやラジオとは個別に、浴室テレビＢＴＶを操作して動作または停止させる。
【０００５】
しかしながら、上述した噴流浴装置において、ジェット噴流発生装置ＪＦＧおよびアクアライトＡＬは噴流浴装置本体ＭＵに接続されているが、相互に連動するようにはなっておらず、ジェット噴流ＷＳおよびアクアライトＡＬの発光が、単調で面白みがないという欠点があった。
【０００６】
尚、特許文献１には、楽曲から検出した楽音要素（例えば、リズム信号）に従って、気泡の量を調整する気泡噴流制御装置が記載されている。また、特許文献２には、楽音信号に基づいて噴流を制御する噴流浴装置が記載されている。しかし、これらにおいては、楽曲を分析して楽音要素を抽出する装置が別途必要であるという問題があった。
【特許文献１】特開平５−５６９９６号公報
【特許文献２】特開平７−３１６５２号公報
【発明の開示】
【発明が解決しようとする課題】
【０００７】
本発明は、上記事情を考慮してなされたもので、その目的は、ジェット噴流やアクアライトの光を楽曲に同期して変化させることができ、且つ、楽曲を分析する装置を付加せずに上述した動作を実現することができる噴流浴装置を提供することにある。
【課題を解決するための手段】
【０００８】
上記目的を達成するために、この発明では、以下の手段を提案している。
請求項１に係る発明は、浴槽内に設置されるノズルから気泡噴流を噴出させる噴出手段を備える噴流浴装置であって、時間情報を含むイベントデータ列からなる楽曲データから該時間情報に対応して第１の制御信号を出力するシーケンサと、前記第１の制御信号に基づいて前記噴出手段を制御する噴流制御手段とを備えることを特徴とする。
この発明によれば、噴流浴装置が時間情報を含む楽曲データから制御信号を生成して噴流を制御するので、楽曲データの時間情報を解析せずに、楽曲と噴流を同期させることが可能となる。
【０００９】
請求項２に係る発明は、請求項１に記載の噴流浴装置であって、前記楽曲データが、携帯電話の着信メロディ生成用のデータであり、前記シーケンサが、前記楽曲データ内の楽音と同期してバイブレータを駆動する設定がなされているチャンネルにおいて、前記チャンネルの楽音が出力される場合に前記第１の制御信号を出力し、前記噴流制御手段が、前記第１の制御信号が出力されている場合にノズルから噴流を噴出させることを特徴とする。
この発明によれば、噴流浴装置が、携帯電話において楽曲と同期させてバイブレータを動かす時間情報を利用して制御信号を生成し噴流を制御するので、楽曲と噴流との同期をより簡略に行うことが可能となる。
【００１０】
請求項３に係る発明は、請求項１または請求項２に記載の噴流浴装置であって、前記シーケンサが、時間情報を含むイベントデータ列からなる楽曲データを該時間情報に対応して第２の制御信号を出力し、浴室の水面を照明する照明手段と、前記第２の制御信号に基づいて前記照明手段を制御する照明制御手段とをさらに有することを特徴とする。
この発明によれば、噴流浴装置が時間情報を含む楽曲データから制御信号を生成して照明を制御するので、楽曲データの時間情報を解析せずに、楽曲と照明を同期させることが可能となる。
【００１１】
請求項４に係る発明は、請求項３に記載の噴流浴装置であって、前記楽曲データが、携帯電話の着信メロディ生成用のデータであり、前記シーケンサが、前記楽曲データ内の楽音と同期してLEDを駆動する設定がなされているチャンネルにおいて、前記チャンネルの楽音が出力される場合に前記第２の制御信号を出力し、前記照明制御手段が、前記第２の制御信号が出力されている場合に前記照明手段を点灯させることを特徴とする。
この発明によれば、噴流浴装置が、携帯電話において楽曲と同期させてLEDを動かす時間情報を利用して制御信号を生成し照明を制御するので、楽曲と照明との同期をより簡略に行うことが可能となる。
【００１２】
請求項５に係る発明は、請求項１ないし請求項４のいずれかの項に記載の噴流浴装置であって、前記楽曲データを携帯電話のコンテンツのサーバからダウンロードする通信手段と、前記通信手段によってダウンロードされた前記楽曲データを記憶する記憶手段とをさらに備えたことを特徴とする。
この発明によれば、既に時間情報が組み込まれ、ネットワーク上にて多数流通している携帯電話用の楽曲コンテンツが利用でき、また、音源デバイスとして、既存の携帯電話用の音源ＩＣが使用できるので、噴流浴装置にて使用する部品および利用するコンテンツの確保を有利にすることが可能となる。
【００１３】
請求項６に係る発明は、請求項５に記載の噴流浴装置であって、浴室内に画像を表示可能な表示手段を備え、前記通信手段が、前記携帯電話のコンテンツのサーバから表示系のコンテンツをダウンロードし、前記記憶手段が、前記通信手段によってダウンロードされた前記表示系のコンテンツを記憶し、前記表示手段が、前記記憶手段が記憶している前記表示系のコンテンツを表示することを特徴とする。
この発明によれば、浴室内にて、既存の携帯電話用の表示コンテンツや電子メールを見たり、ダウンロードされたＪＡＶＡ（登録商標）ゲームをすることが可能となる。
【発明の効果】
【００１４】
請求項１に係る発明によれば、シーケンサから楽曲データの時間情報に同期する制御信号を出力し、それによってジェット噴流を制御するので、ジェット噴流を楽曲に同期して変化させ、変化のあるジェット噴流によってマッサージ効果を得ながら入浴することができる。
【００１５】
また、請求項２に係る発明によれば、楽音と同期してバイブレータを駆動する設定が含まれている、携帯電話の着信メロディ生成用のデータを用いてジェット噴流の制御を行う    ので、楽曲データの時間情報を解析する装置を使用せずに、楽曲と噴流との同期をより簡略に行うことができる。
【００１６】
また、請求項３に係る発明によれば、シーケンサから楽曲データの時間情報に同期する制御信号を出力し、それによってアクアライトを制御するので、楽曲データの時間情報を解析する装置を使用せずに、照明を楽曲に同期して変化させ、雰囲気のある入浴をすることができる。  
【００１７】
また、請求項４に係る発明によれば、楽音と同期してLEDを駆動する設定が含まれている、携帯電話の着信メロディ生成用のデータを用いてアクアライトの制御を行うので、楽曲データの時間情報を解析する装置を使用せずに、楽曲と照明との同期をより簡略に行うことができる。
【００１８】
また、請求項５に係る発明によれば、通信手段によってコンテンツ配信サーバからコンテンツをダウンロードできるので、複数のコンテンツを確保することができ、時により楽曲を変更し、気分を変えて入浴することができる。
【００１９】
また、請求項６に係る発明によれば、浴室内に表示手段を備え、ダウンロードした表示系コンテンツを表示することができるので、ユーザが浴室にて表示系コンテンツ等の画像を利用することができる。
【発明を実施するための最良の形態】
【００２０】
以下、図面を参照し、この発明の一実施形態について説明する。
本実施形態における噴流浴装置の各構成要素の配置については、図９に示す従来技術による噴流浴装置の各構成要素の配置と同様である。また、図１は、同実施形態による、噴流浴装置の電気的構成を示すブロック図である。この図において、噴流浴装置は、噴流浴装置本体ＭＵと、リモコン操作部ＲＥＭと、浴槽ＢＴＢに取り付けられるジェット噴流発生装置ＪＦＧおよびアクチュエータＡＣＴとから構成される。噴流浴装置本体ＭＵは、ジェット噴流ＷＳおよびアクアライトＡＬの光を音楽に同期して変化するように制御する。尚、危険防止の為、浴室ＢＴの照明ＯＬは、音楽と連動させないようにする。
【００２１】
噴流浴装置本体ＭＵにおいて、各構成要素は、バスラインＢＵＳＬを介して相互に接続される。また、リモコン操作部ＲＥＭは、図示しないコネクタを介して、バスラインＢＵＳＬに接続される。
操作部１は図２に示すような操作キーおよび画面表示部からなる。操作されたキーの情報はＣＰＵ２に読み込まれる。ＣＰＵ２はそれに対応した動作指示を各構成要素に対して行い、また、画面表示部に表示すべき内容を表示させる。記憶部３（記憶手段）はＣＰＵ２のプログラムおよびＣＰＵ２が動作する際に使用するデータ等を一時的に記憶する。
【００２２】
通信部４（通信手段）は、ＣＰＵ２の指示の下に、アンテナＡＮＴから、携帯電話通信回線を介して、コンテンツ番号を送信して、コンテンツ配信サーバからコンテンツを受信し、記憶部３に書き込む。本実施形態においては、ダウンロードするコンテンツを、時系列イベントデータからなる楽曲データ（例えば、携帯端末用マルチメディアコンテンツのフォーマットであるＳＭＡＦ（Synthetic  music  Mobile  Application  Format））とする。
【００２３】
ＳＭＡＦによる楽曲データはシーケンスデータであり、時間情報であるデュレーションとイベントデータの組み合わせの羅列である。イベントデータの一つのノートデータにより、発音のためのチャンネル、音高、発音長（Gate  time）、ベロシティ（音の強弱）、が表される。また、パンというイベントデータにより、該当チャンネルのステレオにおける左右の音量のバランスが決定される。また、該楽曲データは、ＣＤ等の楽曲データとは異なり、図３に示すように、各チャンネルについて、Vibrationステータス（楽音と同期してバイブレータを駆動する設定）およびLED（Light  Emitting  Diode）ステータス（楽音と同期してLEDを駆動する設定）が設定される。ここで、VibrationステータスおよびLEDステータスとは、例えば、該楽曲データを携帯電話の着信音の楽曲データとして使用する際に、あるチャンネルがノートオンした（そのチャンネルの音が発音された）ときに、バイブレータを駆動するためのVibration信号（第１の制御信号）や、LEDを駆動するためのLED信号（第２の制御信号）を楽曲再生部５から出力するか否かを示す設定である。図３において、VibrationステータスおよびLEDステータスに“１”が立っているチャンネルのみ、そのチャンネルがノートオンしているときにVibration信号またはLED信号が出力される。コンテンツ制作者はどのチャンネルに合わせてLEDもしくはバイブレータを駆動させるべきかを決めて、上記ステータスを設定する。
【００２４】
図４は、同実施形態による、楽曲再生部５の構成を示すブロック図である。この図において、楽曲再生部５は、Ｉ／Ｆ（Interface）部２１と、ＦＩＦＯ（First-In  First-Out）メモリ２２と、シーケンサ２３と、音源部２４と、Ｄ／Ａコンバータ２５とから構成される。ＣＰＵ２は記憶部３から楽曲データを読み出し、Ｉ／Ｆ（Interface）部２１を介してＦＩＦＯメモリ２２に順次書き込む。シーケンサ２３は、ＦＩＦＯメモリ２２に先に書き込まれた楽曲データから順次読み込み、該楽曲データ中のデュレーションデータの時間が経過する毎にイベントデータを音源部２４に順次出力する。音源部２４は、該イベントデータに基づいてディジタル楽音信号を生成し、Ｄ／Ａコンバータ２５へ出力する。Ｄ／Ａコンバータ２５は、ディジタル楽音信号をＤ／Ａ変換して、アナログ楽音信号に変換し、図示しないアンプを介して、スピーカＳＰへ出力する。
【００２５】
また、シーケンサ２３は、楽曲データ中の、上述したVibrationステータスまたはLEDステータスの設定されたチャンネルがノートオンになっているかを確認し、ノートオンになっている場合は、Vibration信号またはLED信号を、それぞれ、バスラインＢＵＳＬを介して噴流制御部６またはライト制御部７に出力する。
【００２６】
噴流制御部６は、ジェット噴流発生装置ＪＦＧ内の流量制御部１０と、バルブ１５と、アクチュエータＡＣＴとに各々接続され、シーケンサ２３から出力されたVibration信号に基づいてそれらを制御する。具体的に、Vibration信号がオンなら、ジェット噴流発生装置ＪＦＧおよびアクチュエータＡＣＴを動作させる。また、下記の例のように、該当チャンネルのノートデータのベロシティによって、ジェット噴流ＷＳの強さを変化させる。
ノートデータ            「０」          「６４」           「１２７」
ベロシティ        pp（ピアニシモ）  mp（メゾピアノ） ff（フォルティシモ）
mf（メゾフォルテ）
ジェット噴流ＷＳ      間欠噴流        ジェット噴流      ジェット噴流  
（通常モード）   （血行促進モード）
尚、ノートデータのベロシティは１２８値をとることができるので、１２８通りのジェット噴流ＷＳの強さを指示することができる。
【００２７】
ライト制御部７は、アクアライトＡＬと接続され、シーケンサ２３から出力されたLED信号に基づいてそれらを制御する。具体的には、アクアライトＡＬを楽曲に同期してＯＮ／ＯＦＦさせる。
【００２８】
図５はリモコン操作部ＲＥＭの外観を示す図である。リモコン操作部ＲＥＭには、ライト、噴流がコンテンツに同期して変化しない通常モードにおいて各々のＯＮ／ＯＦＦを行うキーと、ライト、噴流をコンテンツに同期して変化するコンテンツ同期モードにて動作させるか、通常モードにて動作させるかの選択を行うキーとが設けられている。これにより、ライト、噴流をコンテンツと同期させて変化させるか否かを、ユーザが浴室ＢＴにて選択できる。また、音量調整キーや、コンテンツを再生する操作キーの他に、カーソルキーや数字キーが設けられている。
【００２９】
ジェット噴流発生装置ＪＦＧは、流量制御部１０と、流量制御部１０によって駆動されるポンプ１１と、浴槽ＢＴＢの底に開口されてポンプ１１に供給する湯水を吸入する吸入口１２と、複数のジェット噴流口１３と、気泡の元になる空気を吸入する空気吸入部１４と、空気吸入部１４から吸入される空気の量を、噴流制御部６の指示の下に、電気的に調整するバルブ１５とから構成される。ポンプ１１によって湯水はジェット噴流ＷＳとしてジェット噴流口１３から吐き出されるが、その際に、バルブ１５が空気通路面積を提供するならば、空気が空気吸入部１４から吸入されて該湯水と混合され、ジェット噴流口１３から吐き出される。流量制御部１０は、噴流制御部６からの指示により、ジェット噴流ＳＷのＯＮ／ＯＦＦ、噴出流量、速度を調節する。また、バルブ１５は噴流制御部６の指示の下に、気泡のＯＮ／ＯＦＦ、気泡混入量を調節する。
【００３０】
図６はジェット噴流口１３の詳細図である。図６（ａ）は、ジェット噴流口１３を横から見た図である。図６（ｂ）は、上から見た図である。ジェット噴流口１３はノズルＮＺＬと自在管ＦＰから構成される。図６（ｃ）に示すように、図示しないモータを用いて、該当チャンネルのパンによって、下記の例のように、ジェット噴流口１３を下記のように左右にスイングさせる。
パン                        「０」（左）     「６４」（中央）    「１２７」（右）
ジェット噴流口１３の角度         +θ               0                 -θ
このとき、ジェット噴流口１３が浴槽ＢＴＢからはみ出さないように、ジェット噴流口１３を奥に配置させるようにする。尚、θは、例えば、３０〜４０°が適当である。尚、パンは、Ｌ（左）側を「０」、中央を「６４」、Ｒ（右）側を「１２７」とする。
また、パンは、１２８値をとることができるので、１２８通りのジェット噴流口１３の位置を指示することができる。
【００３１】
次に、ユーザが入浴し、噴流浴装置を使用するときの動作について説明する。
先ず、ユーザによって、噴流浴装置本体ＭＵの電源が投入され、コンテンツデータのダウンロードが行われる。すなわち、噴流浴装置本体ＭＵにおいて、ＣＰＵ２が、通信部４に接続されているアンテナＡＮＴから、携帯電話通信回線を介して、コンテンツ番号を送信して、コンテンツ配信サーバからコンテンツデータを受信し、記憶部３に書き込む。そして、浴槽ＢＴＢに湯水が満たされ、噴流浴装置全体の電源が投入され、噴流浴装置の動作が開始される。
【００３２】
図７は噴流浴装置の動作を示すフローチャートである。以下、図面を参照して噴流浴装置の動作を説明する。
先ず、噴流浴装置本体ＭＵにおいて、ＣＰＵ２が、コンテンツ配信サーバからダウンロードされたコンテンツデータを記憶部３から読み出し、楽曲再生部５に該コンテンツデータを順次送る。楽曲再生部５は該コンテンツデータに基づく楽曲の生成を開始する。次に、楽曲再生部５が生成した該楽曲の演奏が終了したか否かが判断される（ステップＳ１）。判断が「ＮＯ」であった場合は、ステップＳ２に移行し、シーケンサ２３から噴流制御部６またはライト制御部７にVibration信号またはLED信号のいずれかの信号が出力されたか否かが判断される（ステップＳ２）。判断が「ＮＯ」であった場合、つまりVibration信号またはLED信号のいずれかの信号も出力されない場合は、何もせずにステップＳ１へ戻り、以下のステップの動作を繰り返す。
【００３３】
一方、判断が「Vibration」（信号が発生）であった場合は、ステップＳ３に移行し、ジェット噴流ＷＳの制御がコンテンツ同期モードになっているか否かが判断される。判断が「ＮＯ」であった場合は、何もせずにステップＳ１へ戻る。一方、判断が「ＹＥＳ」であった場合は、ステップＳ４に移行する。ステップＳ４においては噴流制御部６に噴流発生、気泡発生、ノートデータのベロシティによるジェット噴流ＷＳの強さの制御、またはイベントデータのパンによるジェット噴流口１３の制御が指示され、流量制御部１０およびバルブ１５ならびにジェット噴流口１３にて、ジェット噴流ＷＳのＯＮ／ＯＦＦ、強弱、ジェット噴流口１３の角度の制御がなされる。そして、ステップＳ５に移行し、Vibration信号が停止したか、否かが判断される。判断が「ＮＯ」であった場合は、何もせずにステップＳ１へ戻り、以下のステップの動作を繰り返す。一方、判断が「ＹＥＳ」であった場合は、ステップＳ６に移行し、噴流制御部６に噴流停止または気泡停止が指示され、諸動作が停止する。そして、ステップＳ１へ戻る。
【００３４】
一方、ステップＳ２における判断が「LED」であった場合、ステップＳ７に移行し、アクアライトＡＬの制御がコンテンツ同期モードになっているか否かが判断される。判断が「ＮＯ」であった場合は、何もせずにステップＳ１へ戻り、以下のステップの動作を繰り返す。一方、判断が「ＹＥＳ」であった場合は、ステップＳ８に移行し、ライト制御部７にライト点灯が指示され、アクアライトＡＬに対して、ＯＮ／ＯＦＦの制御がなされる。そして、ステップＳ９に移行し、LED信号が停止したか否かが判断される。判断が「ＮＯ」であった場合は、何もせずにステップＳ１へ戻り、以下のステップの動作を繰り返す。一方、判断が「ＹＥＳ」であった場合は、ステップＳ１０に移行し、ライト制御部７にライト消灯が指示され、アクアライトＡＬが消灯する。そして、ステップＳ１へ戻る。
一方、ステップＳ１における判断が「ＹＥＳ」であった場合は、噴流浴装置の動作を終了する。
【００３５】
以上のように、上記実施形態によれば、浴室に設置された噴流浴装置が、携帯電話のネットワークからコンテンツデータのダウンロードを行い、ユーザは、該コンテンツデータに含まれる付帯情報を用いて、浴室に設置された噴流装置および水面を照らす照明と該コンテンツデータから生成された楽音とを同期させ、変化のあるジェット噴流ＷＳによってマッサージ効果を得て、また、変化のあるアクアライトＡＬによって雰囲気のある入浴をすることができる。
特に、携帯電話の着信メロディ用の楽曲データに含まれる、楽音と同期してバイブレータおよびLEDを駆動制御するための信号を用いて、ジェット噴流ＷＳ及びアクアライトＡＬの制御を行うため、楽音解析等を行って楽曲と同期した制御信号を作成する必要がなく、本実施形態は有効である。
【００３６】
尚、ポンプ１１とジェット噴流口１３との間に調整弁を設けて、それを制御することにより、楽曲と同期してジェット噴流口１３から浴槽ＢＴＢへの流量を制御してもよい。同様に、バルブ１５を制御するようにして、気泡のＯＮ／ＯＦＦや気泡混入量を楽曲と同期して制御するようにしてもよい。
また、パンによって、ジェット噴流口１３の噴流口位置を制御する代わりに左右に位置する２つのジェット噴流口１３から浴槽ＢＴＢへ、流量に強弱をつけて噴流を出してもよい。
【００３７】
また、浴槽ＢＴＢに複数個のジェット噴流口１３を設けて、そのジェット噴流口１３の数のチャンネルにVibration信号を設定するようにすれば、複数個のジェット噴流口１３からの流量を各チャンネルのノートオンに合わせて駆動することもできる。例えば、楽曲データが１６チャンネルを有していれば、１６個のVibration信号を出力し、最大１６個のジェット噴流口１３からのジェット噴流ＷＳの流量を制御できる。
【００３８】
また、浴室ＢＴに複数個のアクアライトＡＬを設けて、そのアクアライトＡＬの数のチャンネルにLED信号を設定するようにすれば、複数個のアクアライトＡＬのＯＮ／ＯＦＦを各チャンネルのノートオンに合わせて駆動することもできる。例えば、楽曲データが１６チャンネルを有していれば、１６個のLED信号を出力し、最大１６個のアクアライトＡＬのＯＮ／ＯＦＦを制御できる。
【００３９】
また、ライト制御部７によって、アクアライトＡＬの光量を、シーケンサ２３から出力されたLED信号に基づいて、楽曲に同期して変化させてもよい。
【００４０】
また、図示しない制御装置を介して噴流浴装置に浴室テレビＢＴＶを接続して、通信部４を介してダウンロードしたＪＡＶＡ（登録商標）ゲームをしたり、電子メールを入力することもできる。
また、浴室テレビＢＴＶをビデオ入力モードにして、ダウンロードした表示系コンテンツや、カラオケの歌詞、電子メールを表示することができる。ここで、表示系コンテンツとは、楽曲データと共に格納された画像データであり、楽曲の進行に合わせて出力するための画像データを指す。例えば、カラオケの背景画像のように楽曲の歌詞に合った画像を出力させるためのデータを指す。
また、カラオケとして使用する場合でも携帯電話用の楽曲のコンテンツを使用でき、また、カラオケ用のマイクは付属せず、従って、音声のエフェクト処理は行わない。
【００４１】
以上、本発明の実施形態について図面を参照して詳述したが、具体的な構成はこの実施形態に限られるものではなく、本発明の要旨を逸脱しない範囲での設計変更も含まれる。
【図面の簡単な説明】
【００４２】
【図１】本発明の一実施形態における噴流浴装置本体ＭＵの構成を示すブロック図である。
【図２】同実施形態における噴流浴装置本体ＭＵの外観図である。
【図３】同実施形態における楽曲データ中のVibrationステータスおよびLEDステータスの例を示す表である。
【図４】同実施形態における楽曲再生部５の構成を示すブロック図である。
【図５】同実施形態におけるリモコン操作部ＲＥＭの外観図である。
【図６】同実施形態におけるジェット噴流口１３の詳細を示す図である。
【図７】同実施形態における噴流浴装置の処理を示すフローチャートである。
【図８】同実施形態および従来の噴流浴装置における、ユーザが浴槽ＢＴＢ中にて座る様子を示す概念図である。
【図９】同実施形態および従来における、噴流浴装置の各構成要素の配置を示すブロック図である。
【符号の説明】
【００４３】
１・・・操作部、２・・・ＣＰＵ、３・・・記憶部（記憶手段）、４・・・通信部（通信手段）、５・・・楽曲再生部、６・・・噴流制御部（噴流制御手段）、７・・・ライト制御部（照明制御手段）、１０・・・流量制御部、１１・・・ポンプ、１２・・・吸入口、１３・・・ジェット噴流口、１４・・・空気吸入部、１５・・・バルブ、２１・・・Ｉ／Ｆ（Interface）部、２２・・・ＦＩＦＯ（First-In  First-Out）メモリ、２３・・・シーケンサ、２４・・・音源部、２５・・・Ｄ／Ａコンバータ、ＡＣＴ・・・アクチュエータ、ＡＬ・・・アクアライト（照明手段）、ＢＨ・・・脱衣所、ＢＴ・・・浴室、ＢＴＢ・・・浴槽、ＢＴＶ・・・浴室テレビ（表示手段）、ＢＵＳＬ・・・バスライン、ＦＰ・・・自在管、ＪＦＧ・・・ジェット噴流発生装置（噴出手段）、ＭＵ・・・噴流浴装置本体、ＮＺＬ・・・ノズル、ＯＬ・・・照明、ＲＥＭ・・・リモコン操作部、ＳＰ・・・スピーカ
【図１】
2005261570.tif 000003
【図２】
2005261570.tif 000004
【図３】
2005261570.tif 000005
【図４】
2005261570.tif 000006
【図５】
2005261570.tif 000007
【図６】
2005261570.tif 000008
【図７】
2005261570.tif 000009
【図８】
2005261570.tif 000010
【図９】
2005261570.tif 000011